(57)【要約】【課題】扉の開放操作方法、特に扉の押して開ける側での操作構造を改善し、開放する扉による事故を未然に防ぐ。【解決手段】ラッチボルト５による係合にて閉鎖状態を維持され、押す方向が開放方向となる扉１の押される面１ｄに配設されるレバーハンドル１０を扉１の開放方向と同方向に揺動させることで、ラッチボルト５による係合状態を解除し扉１の開放が行われる扉の構造において、レバーハンドル１０の揺動を規制するストッパ２７と、ストッパ２７に連結されているとともに、レバーハンドル１０の揺動先端側の握持部１３に備えられ、ストッパ２７による揺動規制の解除を行う解除部２２とを具備し、扉１の開放時に、握持部１３の握持とともに、解除部２２を握持することで、ストッパ２７による規制が解除され、レバーハンドル１０を揺動可能とし、扉１を開放可能とする。【選択図】　　　　図１
2004011342.tif 000002
【特許請求の範囲】
【請求項１】
進退自在な係合杆による係合にて閉鎖状態を維持され、押す方向が開放方向となる扉であって、該扉の押される面に配設され、扉の開放方向と略同方向に揺動自在となる把手を備え、該把手を前記扉の開放方向と同方向に揺動させることで、前記係合杆による係合状態を解除し扉の開放が行われる扉の構造において、
前記把手の揺動を規制するストッパと、
該ストッパに連結されているとともに、前記把手の揺動先端側に位置する握持部に備えられ、前記ストッパによる揺動規制の解除を行う解除部と、
を具備し、
前記扉の開放時に、前記握持部の握持とともに、前記解除部を握持することで、前記ストッパによる規制を解除し、前記把手を揺動可能とし、前記扉の開放が行われることを特徴とする扉の構造。
【請求項２】
前記握持部に備えられる解除部は、前記握持部における前記扉面と対向する位置に配設されることを特徴とする請求項１記載の扉の構造。
【請求項３】
前記ストッパは、前記把手に配設されていることを特徴とする請求項１または２記載の扉の構造。
【発明の詳細な説明】
【０００１】
【発明の属する技術分野】
本発明は、建物などに付設される扉に設けられ、この扉の開閉を行う操作部分を改良した扉の構造に関するものである。
【０００２】
【従来の技術】
建物の開口部などに設けられる扉には、その開閉を行うためにノブやレバーハンドルが設けられる。これらノブやハンドルは、扉における戸先側の両面に配設され、この戸先側に内蔵される錠機構部を構成するラッチボルトの木口に対する進退を行う。
【０００３】
ノブの場合、これを掴み持ち、回転させることでラッチボルトを木口より後退させ建物枠側のストライクから退かせ係合状態を解き、そして、ノブを掴み持った状態で扉に対して押す、或いは引く、という操作にて扉の開放を行う。
また、ハンドルの場合では、ハンドルを掴み持ち、扉面に対し、この扉面と平行な方向に所定角度揺動させることで、すなわち扉面に植設状態の軸部の回転にて、ラッチボルトの後退が行われ、そして、ハンドルを掴み持った状態で扉を押す、或いは引くことで扉の開放が行われる。
【０００４】
そして、これらノブやハンドルに対する人の操作において、扉を押して開く場合に、ノブの場合は、掴み持ち回転させたノブ自体を押す方向に操作することで行い、また、ハンドルの場合も、掴み持ち揺動させたハンドル自体を押す方向に操作することで行う。
【０００５】
ところが、これらノブやハンドルの場合に、扉を開放する「押す」という操作を行う直前に、「回転」或いは「揺動」という操作が必要なことから、障害者や高齢者など手が不自由である場合に、扉の開放操作を行いにくいことがある。
【０００６】
このような不具合に対し、扉の開放方向と同方向に操作を行うことでラッチボルトを後退させる機構となるハンドル構造、所謂プッシュプル錠がある。
このプッシュプル錠は、扉を開放する「押す」「引く」という操作方向と同方向に揺動するレバーで構成され、押すことで開放する扉の一方の面には扉面に対して近接する方向に揺動するレバーが設けられ、また、引くことで開放する扉の他方の面には扉面に対して離間する方向に揺動するレバーが設けられており、これらレバーの揺動、すなわち、「押す」或いは「引く」という操作にてラッチボルトが後退し、扉の開放が行える構造となっている。
【０００７】
【発明が解決しようとする課題】
しかしながら、上述した従来のプッシュプル錠を備えた扉では、扉の開閉動作が急激に行われないように制御するドアクローザーが設けられていない場合や、室内扉など扉自体が軽量に構成されている場合に、その扉の開放操作を行う際に、特に扉を押して開放する側では、開放操作を行う者が、扉とともに開放方向に勢いがつき、操作方向である前方に倒れ込んでしまったり、また、扉を勢いよく開けてしまうことで扉の向こう側にいる人に扉を衝突させてしまうことがあり、非常に危険であるという問題があった。
【０００８】
そこで本発明は、上記問題点を解消するために、扉の開放操作方法、特に扉の押して開ける側での操作構造を改善し、開放する扉による事故を未然に防ぐことを可能とする扉の構造を提供することを目的としている。
【０００９】
【課題を解決するための手段】
次に、上記の課題を解決するための手段を、実施の形態に対応する図面を参照して説明する。
この発明の請求項１記載の扉の構造は、進退自在な係合杆５による係合にて閉鎖状態を維持され、押す方向が開放方向となる扉１であって、該扉１の押される面１ｄに配設され、扉１の開放方向と略同方向に揺動自在となる把手１０を備え、該把手１０を前記扉１の開放方向と同方向に揺動させることで、前記係合杆５による係合状態を解除し扉１の開放が行われる扉の構造において、
前記把手１０の揺動を規制するストッパ２７と、
該ストッパ２７に連結されているとともに、前記把手１０の揺動先端側に位置する握持部１３に備えられ、前記ストッパ２７による揺動規制の解除を行う解除部２２と、
を具備し、
前記扉１の開放時に、前記握持部１３の握持とともに、前記解除部２２を握持することで、前記ストッパ２７による規制を解除し、前記把手１０を揺動可能とし、前記扉１の開放が行われることを特徴とする。
【００１０】
請求項２記載の扉の構造は、前記握持部１３に備えられる解除部２２は、前記握持部１３における前記扉面１ｄと対向する位置に配設されることを特徴とする。
【００１１】
請求項３記載の扉の構造は、前記ストッパ２７は、前記把手１０に配設されていることを特徴とする。
【００１２】
このような扉の構造によれば、押すことで開放する扉１に対する開放操作において、押すことで揺動し係合杆５を後退させる把手１０に、その揺動を規制するストッパ２７を設けたことから、把手１０を単に押圧することでは扉１の開放が行えなくなり、その扉１の開放を行う際に、把手１０における揺動先端側の握持部１３を握持し、握持部１３に配設された解除部２２を操作、例えば、握持部１３とともに解除部２２を握持して、ストッパ２７による揺動規制を解除させなければならない。すなわち、扉１に対する「押す」という開放操作に、ストッパ２７を解除させる解除部２２の前段操作を必要とし、これにより、開放方向への扉１の急激な開放が抑止され、扉１の向こう側にいる人に扉１を衝突させるような事故等、扉１を勢いよく開放してしまうことで発生する事故を未然に防ぐことが可能となる。
【００１３】
【発明の実施の形態】
図１に示すように、扉１は、吊元１ａとなる一側縁に、蝶番３などを介して建物開口部２の一方の縁部２ａ等に連結される。そして建物開口２に対して吊元１ａの蝶番３を中心として建物開口部２の一方側、例えば屋外側や廊下側などの隔てられた空間のいずれか側の方向に揺動し、開閉する。扉１の戸先１ｂには、錠機構部４が内蔵される。錠機構部４は、係合杆としてのラッチボルト５を具備し、後述するレバーハンドル１０が連結されている。ラッチボルト５は、戸先１ｂの木口１ｃに対して進退自在に設けられ、扉１が建物開口部２を閉鎖している際に、木口１ｃから突出した状態で、建物開口部２の他方の縁部２ｂに設けられるストライク板の係合穴６に嵌入する。そして、ラッチボルト５が係合穴６に嵌入し係合した状態では、扉１は閉鎖状態を保たれる。
なお、このラッチボルト５は、例えば閂状のラッチとして構成してもよく、可倒ラッチなどで構成されてもよい。
【００１４】
扉１の戸先１ｂ側の表裏両面には、把手としてのレバーハンドル１０が配設される。なお、以下に説明する本実施の形態では、扉１の一方の面１ｄである押して開放する側のレバーハンドル１０について説明し、引いて開放させる側である他方の面に配設されるレバーハンドルについては図示を省略しその詳述を行わない。
【００１５】
図１に示すように、扉１の一方の面１ｄ、すなわち、押すことで開放方向へと揺動させる操作の行われる扉の押される面１ｄにおける戸先１ｂ側には、レバーハンドル１０が配設される。
【００１６】
レバーハンドル１０は、図２に示すように、押圧部１１と腕部１６とが略直交した略Ｌ字状に形成される。
押圧部１１は、本実施の形態では、扉面１ｄと略平行となる矩形板状に形成される。押圧部１１には、扉面１ｄに対向する裏面に凹部１２が形成される。この凹部１２は、略矩形状に形成され、押圧部１１の裏面において周囲の端縁部分を突条形状とするように形成されており、レバーハンドル１０としての重量軽減を兼ねるとともに、後述する解除部の作動領域となる。また、この押圧部１１の先端縁部は、レバーハンドル１０としての揺動端となり、握持部１３とされる。この握持部１３における扉面１ｄと対向する面の凹部１２内には取付穴部１４が形成されている。
【００１７】
また、この押圧部１１裏面の凹部１２には、上縁及び下縁の各突条部分に、係合凹部１５がそれぞれ配置される。これら係合凹部１５は、押圧部１１の握持部１３と反対となる腕部１６に近接した側縁側に、互いに対向して配置される。
【００１８】
腕部１６は、押圧部１１の握持部１３と反対の側縁に位置し、この側縁より延出するように設けられる。本実施の形態の腕部１６は、略板状に形成され、その端部１６ａは、レバーハンドル１０としての基端となり、軸支部１７を構成している。この軸支部１７は、腕部１６と一体に構成される連結部１８と、扉面１ｄ側に固定されるベース部１９とで構成され、略垂直方向を軸線方向とした軸を介して互いが連結され、この軸支部１７によりレバーハンドル１０が揺動自在となってる。そして、この軸支部１７は、戸先１ｂに内蔵される錠機構部４のラッチボルト５と、図示しないリンク機構やカム機構など回転揺動を直線移動に変換する機構を介して連動連結される。
【００１９】
本実施の形態では、軸支部１７に対して延出する腕部１６及び押圧部１１が、図１に示すように、通常の状態において、押圧部１１の板面が扉面１ｄと略平行となり、この押圧部１１が腕部１６から吊元１ａに向いて延出している。
【００２０】
また、軸支部１７には、規制凹部２１が形成される。本実施の形態での規制凹部２１は、腕部１６の端部１６ａとベース部１９の基板端縁２０との間隙部分とされ、図１及び図３に示すように、通常の状態において、略矩形な凹溝状部分であり、すなわち、軸支部１７の軸を中心に揺動する際の、ベース部１９に対する腕部１６側の揺動範囲、すなわちレバーハンドル１０の揺動範囲を構成する間隙部分であり、後述するストッパ２７が進入可能となっている。
【００２１】
解除部２２は、略真直な杆状の部材とされ、上述した押圧部１１裏面の凹部１２の内寸法に対応し、この凹部１２に対して進退自在とされる。本実施の形態では、やや細径の断面円形の例えばパイプ状部材よりなり、垂直な操作杆２３と上下一対の略水平な延出杆２４とで構成され、略コ字状に形成される。上下各延出杆２４のそれぞれの先端は、略へ字状に屈曲形成されるとともに、各先端に架け渡され、操作杆２３と平行となるように揺動軸２５が設けられている。この揺動軸２５は、両端が押圧部１１裏面の係合凹部１５に回転自在となってそれぞれ嵌入される。そして、この揺動軸２５を回転中心とし、延出杆２４を介し、握持部１３の裏面に位置する操作杆２３側が揺動自在となる。
【００２２】
また、この解除部２２には、上下の延出杆２４の操作杆２３近傍に、復帰手段２６がそれぞれ配設される。これら復帰手段は、例えば圧縮コイルバネよりなり、延出杆２４と押圧部１１裏面の取付穴部１４との間に配設される。なお、この復帰手段である圧縮コイルバネ２６は、一端が、延出杆２４に固着されていてもよく、取付穴部１４内に固着されていることとしても良い。そして、この解除部２２は、圧縮コイルバネ２６の付勢力に抗した方向である扉面１ｄに対して引く方向に揺動させることで凹部１２内に進入する。
【００２３】
ストッパ２７は、前述した規制凹部２１に対し、進入或いは退出を行う。本実施の形態では、このストッパ２７は、断面矩形状の杆状に形成され、軸支部１７の軸線方向の長さと略同等の長さに形成される長尺な部材とされる。そして、規制凹部２１に進入することで、この規制凹部２１を形成する腕部先端縁１６ａとベース部基板２０との間隙内に嵌入することとなり、ベース部基板２０に対する腕部１６側の揺動、すなわち、レバーハンドル１０の揺動を規制し、また規制凹部２１より退出することで、その揺動規制を解除するようになっている。
【００２４】
また、このストッパ２７は、両端近傍に位置して、ストッパ２７の長手方向に直交した支持杆２８がそれぞれ延設されている。各支持杆２８のそれぞれの先端は、前記揺動軸２５が、操作杆２３と略平行となって架け渡されるように連結される。すなわち、このストッパ２７は、揺動軸２５に対し支持杆２８を介して連結され、延出杆２４を介した操作杆２３である解除部２２と一体に構成される。揺動軸２５に対し軸線方向に直交して延設される延出杆２４及び支持杆２８は、図３に示すように、互いが略直角となって略Ｌ字状に構成され、揺動軸２５が係合凹部１５に取り付けられた状態で、延出杆２４は押圧部１１の裏面に沿い、支持杆２８は腕部１６に沿うようになる。
【００２５】
そして、このストッパ２７は、揺動軸２５を回転中心として、支持杆２８を介して揺動するようになっており、この揺動は、解除部２２の揺動に連動して行われるようになっている。すなわち、解除部２２を揺動させることで、ストッパ２７は、規制凹部２１に対して進退が行われる。
【００２６】
次に、上記のように構成された扉の構造の操作について説明する。
扉１が建物開口２を閉塞した状態では、図１に示すように、錠機構部４のラッチボルト５先端が突出しており、係合穴６に進入し、扉１の閉塞状態が保たれる。
【００２７】
また、この閉塞状態においては、図３（ａ）に示すように、押圧部１１の握持部１３裏面に位置している解除部２２の操作杆２３が、圧縮コイルバネ２６の付勢力により、押圧部１１裏面の凹部１２より突出しており、この解除部２２と一体構造とされるストッパ２７の規制凹部２１内への進入状態を維持し、これにより、レバーハンドル１０の揺動が規制される。すなわち、レバーハンドル１０の押圧部１１を押圧し、レバーハンドル１０を揺動させることが不可能となり、扉１を開放することが不可能な状態である。
【００２８】
この扉１を開放するには、先ず、レバーハンドル１０の握持部１３側を、開放しようとする操作者が握持する。握持部１３を掴むことで、この握持部１３の裏面に位置する解除部２２の操作杆２３は、押圧部１１に対する押圧方向とは反対の引く方向に操作し、圧縮コイルバネ２６の付勢力に抗して押圧部１１裏面の凹部１２内に進入する。
【００２９】
図３（ｂ）に示すように、解除部２２の凹部１２内への進入は、揺動軸２５を回転させ、この揺動軸２５の回転により、支持杆２８を介してストッパ２７が揺動移動する。
ストッパ２７が移動すると、規制凹部２１への進入状態から後退することとなり、すなわち、レバーハンドル１０の揺動規制状態が解除される。
【００３０】
次に、操作者は、レバーハンドル１０の押圧部１１を押圧して軸支部１７を中心に揺動させ、これによりラッチボルト５が後退となる。すなわち、扉１はラッチボルト５による係止維持状態を解かれる。
【００３１】
なお、本実施の形態では、後退したストッパ２７が、図３（ｃ）に示すように、ベース部基板２０の端縁外側に当接するとともに、この端縁外側に係止状態となり、ストッパ２７の進出方向への移動が阻止されるようになり、レバーハンドル１０の揺動の際に、ストッパ１７が移動してしまうことがなく、同時に、凹部１２内に進入した解除部２２が、この凹部１２から突出してしまうことがない。
【００３２】
係止状態を解かれた扉１は、レバーハンドル１０を掴み持ち、レバーハンドル１０に対して押圧力を加えている操作者の開放操作、すなわち押圧している操作により、開放方向へと吊元１ａの蝶番３を中心として揺動する。
そして、そのまま扉１を開放方向に押すことにより、扉１が開放となる。
【００３３】なお、本実施の形態では、解除部２２を構成する延出杆２４を、揺動軸２５側を略へ字状に屈曲形成したことで、図３（ａ）に示すように、押圧部１１の厚みより突出した位置で押圧部１１の裏面に沿い、この裏面と略平行に延出杆２４が位置することから、押圧部１１の上縁や下縁などを掴み持つことでも解除部２２を操作することが可能となり、ストッパ２７を揺動移動させることが可能となる。
【００３４】従って、このように構成された扉の構造によれば、押すことで開放する扉１に対する開放操作において、押すことで揺動しラッチボルト５を後退させるレバーハンドル１０に、その揺動を規制するストッパ２７を設けたことから、レバーハンドル１０を単に押圧することでは扉１の開放が行えなくなり、その扉１の開放を行う際に、レバーハンドル１０の押圧部１１における揺動先端側の握持部１３を握持し、握持部１３裏面に配設された解除部２２を操作して、ストッパ２７による揺動規制を解除させなければならず、すなわち、扉１に対する「押す」という開放操作に、ストッパ２７を解除させる解除部２２の前段操作を必要とすることから、開放方向への扉１の急激な開放が抑止され、扉１の向こう側にいる人に扉１を衝突させるような事故等、扉１を勢いよく開放してしまうことで発生する事故を未然に防ぐことが可能となる。
【００３５】
なお、上述した実施の形態では、レバーハンドル１０における押圧される部分である押圧部１１を略矩形板状とした例について説明したが、レバーハンドル１０としての形状については、これに限定されるものではなく、円形や楕円形、多角形など、その他の形状としてもよく、また、板状ではなく、例えば枠状に形成されることとしても良く、揺動先端側を握持部１３とする形状であれば上記形状に限定されるものではない。
【００３６】
また、上述した実施の形態では、握持部１３の裏面に解除部２２を配置した例について説明したが、握持部１３におけるその他の個所、例えば側縁部分などとしてもよく、解除部２２の動作方向とレバーハンドル１０の揺動方向とを同一方向としない構成とされれば、その他の位置に配置構成しても良い。なお、この場合、握持部１３を握持するという操作に関連した位置及び作動を行うことが好ましい。
【００３７】
さらに、上述した実施の形態では、解除部２２の構成を、ストッパ２７と一体構成として揺動軸２５による揺動を介し、ストッパ２７の進退を行う構成とした例を示したが、解除部２２とストッパ２７との連結構造は、上記のような一体構造としなくともよく、例えばチューブ内をワイヤが摺動するような構造で、ワイヤの両端に解除部２２とストッパ２７とをそれぞれ連結し、解除部２２の揺動などの操作を、ワイヤの牽引などに変換しストッパ２７の進退動作として連動させる構成などとしても良い。
【００３８】
また、上述した実施の形態では、レバーハンドル１０の揺動先端である握持部１３の軸支部１７に対する向きが、扉１の戸先１ｂから吊元１ａに向くよう構成した例について説明したが、このレバーハンドル１０の扉１への取り付け状態については、軸支部１７に対する握持部１３の延出方向が吊元１ａから戸先１ｂ側として構成されてもよく、また、その他の方向とされて構成されていても、上記同様の作用効果を得ることができる。
【００３９】
【発明の効果】
以上説明したように本発明による扉の構造では、押すことで開放する扉に対する開放操作において、押すことで揺動し係合杆を後退させる把手に、その揺動を規制するストッパを設けたことから、把手を単に押圧することでは扉の開放が行えなくなり、その扉の開放を行う際に、把手の揺動先端側の握持部を握持し、握持部に配設された解除部を操作して、ストッパによる揺動規制を解除させなければならない。すなわち、扉に対する「押す」という開放操作に、ストッパを解除させる解除部の前段操作を必要とし、これにより、開放方向への扉の急激な開放が抑止され、扉の向こう側にいる人に扉を衝突させるような事故や、扉とともに開放方向に勢いがつき、操作方向である前方に倒れ込んでしまう事故等、扉を勢いよく開放してしまうことで発生する事故を未然に防ぐことが可能となる。
【００４０】
また、解除部を、握持部における前記扉面と対向する位置に配置したことで、この解除部が把手の表面側に表出するような構造ではなくなり、把手のみを押圧してしまうような開放操作を規制することとなる。すなわち、見た目の構造では扉の開放が行えないこととなり、扉の開放という操作に対し、押圧を行う以前の前段の解除部に対する操作を発生させ、このことからも、扉を勢いよく開放させてしまうことによる事故を未然防ぐことが可能となる。また、開放の操作を行う際に、握持部を握持するとともに、解除部を握持することとなり、上記同様に、扉に対する押す方向への開放操作に握持するという開放と異なる操作手段を追加していることから、扉を急激に開放させてしまうようなことがない。
【図面の簡単な説明】
【図１】本発明による扉の構造一実施の形態を示す平断面図である。
【図２】同扉の構造における要部の分解斜視図である。
【図３】同扉の構造における動作を説明する平断面図である。
【符号の説明】
１…扉
１ｄ…扉面
５…係止杆（ラッチボルト）
１０…把手（レバーハンドル）
１３…握持部
２２…解除部
２７…ストッパ
【図１】
2004011342.tif 000003
【図２】
2004011342.tif 000004
【図３】
2004011342.tif 000005